(57)【特許請求の範囲】
【請求項１】
コネクタハウジングと、
前記コネクタハウジングに組み付けられて前記コネクタハウジングに収容される端子に接続された電線を支持するホルダとを有し、
前記ホルダは、係止部とサーミスタを収容するサーミスタ収容部とを備えた第１のホルダと、
前記係止部に係止される被係止部と、前記電線を収容する電線収容部とを備え、前記被係止部が前記係止部に係止されることで、前記サーミスタと、前記サーミスタに重ねて載置された電線とを前記サーミスタ収容部と前記電線収容部との間で挟持する第２のホルダと、
を有することを特徴とするコネクタ。
【請求項２】
請求項１に記載のコネクタにおいて、
前記サーミスタ収容部は、前記サーミスタを載置する底壁と、前記サーミスタに沿って前記底壁より立設されている側壁とを有し、前記側壁より前記サーミスタに向けて突出する突出部を有することを特徴とするコネクタ。
【請求項３】
請求項２に記載のコネクタにおいて、
前記第１のホルダは、前記サーミスタ収容部に連続して前記コネクタハウジングとの連結手段が設けられた本体部を有し、前記本体部には前記側壁に沿う方向に前記電線を挿通可能な凹部が形成されていることを特徴とするコネクタ。
【請求項４】
請求項１〜請求項３のいずれか１項に記載のコネクタにおいて、
前記電線収容部には、前記サーミスタ収容部との間で前記サーミスタと前記電線とを挟み込むときに、前記電線に接触して前記電線を押圧する押圧突起が設けられていることを特徴とするコネクタ。
【発明の詳細な説明】
【技術分野】
【０００１】
本発明は、コネクタに係り、特に、主リヤホルダと副リヤホルダとでサーミスタと電線とを挟み込み固定しているものに関する。
【背景技術】
【０００２】
従来、図９で示すようなサーミスタの固定構造（コネクタ）３０１が知られている（たとえば、特許文献１参照）。
【０００３】
サーミスタの固定構造３０１では、絶縁性熱伝導材３０３を用いて、端子３０５にサーミスタ３０７を設置してある。そして、サーミスタ３０７によって端子３０５の温度を測定している。
【先行技術文献】
【特許文献】
【０００４】
【特許文献１】特開２００２−３５２６３５号公報
【発明の概要】
【発明が解決しようとする課題】
【０００５】
しかし、従来のサーミスタの固定構造３０１では、金属製の端子３０５の温度の測定をすることはできるが、サーミスタ３０７と電線（端子３０５から延出している電線）３０９が離れているので、充電中の過電流通電等による電線３０９の温度上昇を確実に測定することができないという問題がある。
【０００６】
本発明は、上記問題点に鑑みてなされたものであり、第１のホルダと第２のホルダとでサーミスタと電線とを密着させて固定することで、電線の温度を容易かつ確実に測定することができるコネクタを提供することを目的とする。
【課題を解決するための手段】
【０００７】
請求項１に記載の発明は、コネクタハウジングと、前記コネクタハウジングに組み付けられて前記コネクタハウジングに収容される端子に接続された電線を支持するホルダとを有し、前記ホルダは、係止部とサーミスタを収容するサーミスタ収容部とを備えた第１のホルダと、前記係止部に係止される被係止部と、前記電線を収容する電線収容部とを備え、前記被係止部が前記係止部に係止されることで、前記サーミスタと、前記サーミスタに重ねて載置された電線とを前記サーミスタ収容部と前記電線収容部との間で挟持する第２のホルダとを有するコネクタである。
【０００８】
請求項２に記載の発明は、請求項１に記載のコネクタにおいて、前記サーミスタ収容部は、前記サーミスタを載置する底壁と、前記サーミスタに沿って前記底壁より立設されている側壁とを有し、前記側壁より前記サーミスタに向けて突出する突出を有するコネクタである。
【０００９】
請求項３に記載の発明は、請求項２に記載のコネクタにおいて、前記第１のホルダは、前記サーミスタ収容部に連続して前記コネクタハウジングとの連結手段が設けられた本体部を有し、前記本体部には前記側壁に沿う方向に前記電線を挿通可能な凹部が形成されているコネクタである。
【００１０】
請求項４に記載の発明は、請求項１〜請求項３のいずれか１項に記載のコネクタにおいて、前記電線収容部には、前記サーミスタ収容部との間で前記サーミスタと前記電線とを挟み込むときに、前記電線に接触して前記電線を押圧する押圧突起設けられているコネクタである。
【発明の効果】
【００１１】
本発明によれば、第１のホルダと第２のホルダとでサーミスタと電線とを密着させて固定することで、電線の温度を容易かつ確実に測定することができるコネクタを提供することができるという効果を奏する。
【図面の簡単な説明】
【００１２】
【図１】本発明の実施形態に係るコネクタ（サーミスタ固定構造が採用されているコネクタ）の主リヤホルダ（第１のホルダ）とサーミスタとを示す斜視図であって、サーミスタが主リヤホルダに設置される前の状態を示している図である。
【図２】図１において、サーミスタを設置し電線を載置した状態を示す図である。
【図３】図２において、副リヤホルダ（第２のホルダ）を設置する前の状態を示す図である。
【図４】図３において、副リヤホルダを設置した状態を示す図である。
【図５】図４に示すものをコネクタハウジングに設置する前の状態を示す図である。
【図６】図４に示すものをコネクタハウジングに設置した状態を示す図であって、コネクタを示す斜視図である。
【図７】本発明の実施形態に係るコネクタの主リヤホルダのサーミスタ係合部を示す拡大斜視図である。
【図８】本発明の実施形態に係るコネクタの副リヤホルダの電線係合部を示す拡大斜視図である。
【図９】従来の電線固定構造を示す図である。
【発明を実施するための形態】
【００１３】
本発明の実施形態に係るコネクタ１は、図６等で示すように、たとえば、充電コネクタ装置３に使用されるものである。充電コネクタ装置３は、電気自動車等に搭載されて使用され、充電スタンド側の充電コネクタと接続されて電気自動車等が充電を受けるようになっている。
【００１４】
なお、以下説明の便宜のために、空間内における所定の三方向を、前後方向、横方向、上下方向という場合がある。前後方向と横方向と上下方向とはお互いが直交している。
【００１５】
コネクタ１は、図１〜図６で示すように、コネクタハウジング５９とホルダ４とを備えて構成されている。ホルダ４は、コネクタハウジング５９に組み付けられてコネクタハウジング５９に収容される端子３９に接続された電線１７を支持するようになっている。
【００１６】
ホルダ４は、第１のホルダ（たとえば、主リヤホルダ）５と第２のホルダ（たとえば、副リヤホルダ）７とを備えて構成されている。
【００１７】
主リヤホルダ５は、係止部９とサーミスタ１１が係合するサーミスタ係合部（サーミスタが設置されるサーミスタ設置部；サーミスタが収容されるサーミスタ収容部）１３とを備えて構成されている。
【００１８】
副リヤホルダ７は、被係止部１５と電線１７が係合する電線係合部（電線を押える電線押え部；電線が収容される電線収容部）１９とを備えて構成されている。
【００１９】
そして、副リヤホルダ７の被係止部１５が主リヤホルダ５の係止部９に係止されることで（被係止部１５が係止部９に係合することで）、副リヤホルダ７が主リヤホルダ５に一体的に設置されるようになっている。
【００２０】
副リヤホルダ７が主リヤホルダ５に設置されている状態では、サーミスタ係合部１３と電線係合部１９とによって、サーミスタ１１とサーミスタ１１に重なっている電線（サーミスタ１１に重ねて載置された電線）１７とが所定の力で挟み込まれ（挟持され）、サーミスタ１１と電線１７とが主リヤホルダ５と副リヤホルダ７とに固定されるようになっている。また、サーミスタ１１と電線１７とが挟み込まれていることで、サーミスタ１１と電線１７との接触部２１が平面状になっており、また、電線１７の長手方向での面圧がたとえば一様になっている。
【００２１】
主リヤホルダ５のサーミスタ係合部１３と副リヤホルダ７の電線係合部１９とは、前後方向に細長くなっている。
【００２２】
副リヤホルダ７が主リヤホルダ５に設置され、サーミスタ係合部１３と電線係合部１９とでサーミスタ１１と電線１７とが挟み込まれている状態では、電線係合部１９が上側に位置しており、サーミスタ係合部１３が下側に位置しており、サーミスタ係合部１３とサーミスタ１１とがお互いに接触しており、電線係合部１９と電線１７とがお互いに接触しており、サーミスタ１１の長手方向と電線１７の長手方向とは前後方向になっていてお互いが一致している。サーミスタ１１と電線１７とが挟み込まれる方向は、すでに理解されるように、上下方向になっており、サーミスタ１１が下側に位置しており、電線１７が上側に位置している。
【００２３】
電線１７はシース（被覆）２３等が変形（弾性）するようになっており、サーミスタ係合部１３と電線係合部１９とでサーミスタ１１と電線１７とが挟み込まれている状態では、サーミスタ１１と電線１７とがお互いに密着しこの密着部（接触部）２１は、細長い矩形な平面状になっており、長手方向が前後方向になっており、幅方向が横方向になっている。
【００２４】
さらに説明すると、サーミスタ１１は、ほぼ剛体とみなせる剛性を備えた細長い四角柱状に形成されており、電線１７は、細長い円柱状に形成されている。
【００２５】
主リヤホルダ５のサーミスタ係合部１３にサーミスタ１１を設置し、電線１７を設置することなく主リヤホルダ５に副リヤホルダ７を設置したとすると、サーミスタ１１と電線係合部１９の間の寸法（上下方向の寸法）は、電線１７の外径よりも僅かに小さくなっている。
【００２６】
そして、サーミスタ係合部１３と電線係合部１９とでサーミスタ１１と電線１７とが挟み込まれている状態では、この挟み込みの圧力によって、円柱状の電線１７が弾性変形し、サーミスタ１１と電線１７との接触部２１が、細長い矩形な平面状になる。サーミスタ１１と電線１７との接触部２１の面圧は、横方向では、両端部が小さく、中央部に向かうにしたがって次第に大きく、中央で最も大きくなっている。一方、サーミスタ１１と電線１７との接触部２１の面圧は、前後方向では、ほぼ一定になっている。すなわち、サーミスタ１１と電線１７との接触部２１のいずれの箇所においても、横方向の面圧の分布は同様の形態になっている。
【００２７】
また、副リヤホルダ７の電線係合部１９には、図８で示すように、突起２５が設けられている。突起２５は、サーミスタ係合部１３と電線係合部１９とによって、サーミスタ１１と電線１７とを挟み込むときに、電線１７に接触して電線１７を押圧するようになっている。
【００２８】
電線係合部１９は、下方を向いており、電線係合部１９の突起（押圧突起）２５は、下方に突出している。また、突起２５は、複数（たとえば２つ）設けられており、１つは、電線係合部１９の長手方向（前後方向）の一端部（前端の近傍）に設けられており、他の１つは、電線係合部１９の長手方向（前後方向）の他端部（後端の近傍）に設けられている。
【００２９】
そして、サーミスタ係合部１３と電線係合部１９とでサーミスタ１１と電線１７とが挟み込まれている状態では、主に電線係合部１９の突起２５が、電線１７に接触して電線１７を押圧している。
【００３０】
さらに説明すると、サーミスタ係合部１３と電線係合部１９とでサーミスタ１１と電線１７とが挟み込まれている状態では、電線係合部１９の突起２５が電線１７に接触して電線１７を下方に押圧しており、突起２５以外の電線係合部１９の部位は、電線１７に接触してはいるが、突起２５よりも小さい力で電線１７を下方に押圧している。なお、電線係合部１９の突起２５による押圧で、突起２５のところでは電線１７が大きめの変形をし、突起２５以外のところでは、電線１７が僅かに変形しているかほとんど変形していない。
【００３１】
また、電線係合部１９に突起２５が設けられていることで、電線係合部１９による電線１７の押圧力（電線係合部１９と電線１７との係合部における圧力）は、電線１７の長手方向で異なっているが、これとは反対側の、サーミスタ１１と電線１７との平面状の接触部２１の面圧は、電線係合部１９の突起２５のところではごく僅かに大きくなっている程度であって、電線１７の長手方向でほぼ一様になっている。
【００３２】
なお、サーミスタ係合部１３と電線係合部１９とでサーミスタ１１と電線１７とが挟み込まれている状態において、電線係合部１９の突起２５のみが電線１７に接触して押圧する構成であってもよい。また、電線係合部１９に突起２５を設けることに代えてもしくは加えて、サーミスタ係合部１３の底壁面（底壁）２９に電線係合部１９の突起２５と同様の突起を設けてもよい。
【００３３】
主リヤホルダ５のサーミスタ係合部１３には、図７で示すように、サーミスタ固定リブ（突起；突出部）２７が設けられている。サーミスタ固定リブ２７は、サーミスタ係合部１３にサーミスタ１１を設置するときに、たとえば、サーミスタ１１をサーミスタ係合部１３に固定するようになっている。
【００３４】
サーミスタ固定リブ２７は、サーミスタ係合部１３にサーミスタ１１が設置さたときに、サーミスタ１１の側面（横方向の一端面）を押してサーミスタ１１をサーミスタ係合部１３に固定するようになっている。
【００３５】
さらに説明すると、サーミスタ係合部１３は、サーミスタ１１と同様に細長い四角柱状の凹部で構成されて前後方向に長く延びており、１つの細長い矩形状の底壁面２９と一対の側壁面（細長い矩形状の側壁面；側壁）３１とが形成されている。
【００３６】
サーミスタ固定リブ２７は、一対の側壁面３１のうちの一方の側壁面から僅かに突出している。また、サーミスタ固定リブ２７は、複数（たとえば２つ）設けられており、１つは、サーミスタ係合部１３の長手方向（前後方向）の一端部（前端の近傍）に設けられており、他の１つは、サーミスタ係合部１３の長手方向（前後方向）の他端部（後端の近傍）に設けられている。
【００３７】
サーミスタ係合部１３にサーミスタ１１を設置したとき、サーミスタ固定リブ２７の先端が、サーミスタ１１に接触して、サーミスタ１１を挟み込み固定するようになっている。
【００３８】
たとえば、サーミスタ係合部１３にサーミスタ１１を設置したとき、サーミスタ固定リブ２７が変形し（弾性変形でもよいし塑性変形でもよい）、サーミスタ１１が、横方向で他方の側壁面３１とサーミスタ固定リブ２７とにより所定の力で挟み込まれ、副リヤホルダ７が主リヤホルダ５に未設置の状態であっても、サーミスタ係合部１３に固定されるようになっている。
【００３９】
主リヤホルダ５は、上述したように、（電気自動車等の）充電コネクタ装置３に使用されるものであり、サーミスタ係合部１３は、充電コネクタ装置３の主リヤホルダ（従来の主リヤホルダ）５の本体部３３から後方に突出して設けられたものである。主リヤホルダ５は、従来の主リヤホルダ（たとえば、２０１３年６月３日における「ｈｔｔｐ://ｇｕｉｄｅ．ｊｓａｅ．ｏｒ．ｊｐ/ｆｉｒｓｔ＿ｃｏｌｕｍｎ/６２７８/」を参照）の一部の形状を変更することで形成されている（従来の主リヤホルダにサーミスタ係合部１３を追加することで形成されている）。
【００４０】
ここで、コネクタ１についてさらに詳しく説明する。
【００４１】
サーミスタ１１は、前述したように細長い四角柱状に形成されており、長手方向の端（後端）から配線（電線）３５が後方に延出している。
【００４２】
電線１７は、たとえば、芯線をシース２３で覆った態様で、前述したように細長い円柱状に形成されている。電線１７の先端（前端）には、先端に絶縁部３７が設けられた端子３９が設置されている。
【００４３】
主リヤホルダ５は、たとえば、絶縁性の合成樹脂で一体成形されており、円柱状の本体部３３とサーミスタ係合部１３と端子設置部４１とを備えて構成されている。
【００４４】
また、主リヤホルダ５は、サーミスタ収容部１３に連続してコネクタハウジング５９との連結手段が設けられた本体部３３を有しており、本体部３３には側壁３１に沿う方向に電線１７を挿通可能であって電線１７が入りこむ凹部４３が形成されている。凹部４３は、円柱状の本体部３３の側面から中央側にへこんでいる。
【００４５】
サーミスタ係合部１３は、底壁部４５と一対の側壁部４７とを備えて構成されており、本体部３３の円形状の後端面から後方に突出している。
【００４６】
サーミスタ係合部１３の断面（前後方向に対して直交する平面による断面）の形状は、「Ｈ」字状（「コ」字状でもよい）に形成されており、底壁部４５の上面が底壁面（底壁）２９になっており、一対の側壁部４７の内側の面が側壁面（側壁）３１になっている。
【００４７】
なお、すでに理解されるように、サーミスタ収容部１３は、サーミスタ１１を載置する底壁２９と、サーミスタ１１に沿って底壁２９より立設されている側壁３１とを有しており、側壁３１よりサーミスタ１１に向けて突出する突出部２７を有している。
【００４８】
また、サーミスタ係合部１３は、本体部３３の凹部４３の下端のところに位置しており、たとえば、サーミスタ係合部１３にサーミスタ１１を設置したとき、サーミスタ１１の下面と本体部３３の凹部４３の下端とが、上下方向でほぼ同じところに位置している。
【００４９】
サーミスタ固定リブ２７は、上下方向に細長く延びて一方の側壁面３１から僅かに突出している。
【００５０】
また、サーミスタ係合部１３には、設置されたサーミスタ１１の前後方向への移動を阻止するための一対の壁部５１が設けられている。一対の壁部５１により、サーミスタ１１が前後方向で挟み込まれるようになっている。
【００５１】
端子設置部４１は、サーミスタ係合部１３の反対側で本体部３３から前側に突出している。
【００５２】
本体部３３の凹部４３とサーミスタ係合部１３と端子設置部４１は、たとえば２組設けられており、横方向で所定の間隔をあけてならんでいる。
【００５３】
２つのサーミスタ係合部１３の側壁部（４つの側壁部）４７のうちで横方向の一端側と他端側に位置している２つの側壁部４７の外側の面には、突起４９が形成されている。突起４９は、係止部９を形成している。
【００５４】
副リヤホルダ７も、たとえば、絶縁性の合成樹脂で一体成形されている。また、副リヤホルダ７には、サーミスタ係合部１３等の数に合わせて２つの凹部５３が設けられている。凹部５３を、前後方向で副リヤホルダ７を貫通しており、前後方向から見ると「Ｕ」字状に形成されている。ただし、凹部５３は、副リヤホルダ７の下端から上側に向かって凹んでいるので、より精確には、逆「Ｕ」字状になっている。
【００５５】
副リヤホルダ７に２つの凹部５３が設けられていることで、副リヤホルダ７には３つの脚部５５が形成されている。３つの脚部５５のうちで横方向の両側に位置している２つの脚部５５には、貫通孔５７が設けられている。貫通孔５７は、被係止部１５を形成している。また、３つの脚部５５のうちで横方向の両側に位置している２つの脚部５５の一部（一対の切り欠き５６の間の貫通孔５７が設けられている部位）は、被係止部１５を係止部９に係止するときに、外側に若干弾性変形し、主リヤホルダ５に副リヤホルダ７を設置し終えたときに、復元するようになっている。
【００５６】
副リヤホルダ７の電線係合部１９の突起２５は、「Ｕ」字状の凹部５３の底面（上端の壁）から下方に僅かに突出している。
【００５７】
次に、充電コネクタ装置３の組み立てについて説明する。
【００５８】
まず、図１で示すように、主リヤホルダ５のサーミスタ係合部１３にサーミスタ１１を設置する。
【００５９】
続いて、図２で示すように、先端（前端）に端子３９が設置されている電線１７を、凹部（電線設置部）４３内に設置する。このとき、端子３９は端子設置部４１に一体的に設置され、電線１７はサーミスタ１１に載置されて重ねられサーミスタ１１に接触する。
【００６０】
続いて、図３、図４で示すように、副リヤホルダ７に主リヤホルダ５を設置する。これにより、サーミスタ１１と電線１７とが、主リヤホルダ５と副リヤホルダ７とで挟み込まれ、主リヤホルダ５と副リヤホルダ７とに固定される。
【００６１】
続いて、電線１７とサーミスタ１１と副リヤホルダ７とが設置された主リヤホルダ５を、コネクタハウジング５９に設置する。
【００６２】
コネクタ１によれば、主リヤホルダ５のサーミスタ係合部１３と副リヤホルダ７の電線係合部１９とによって、サーミスタ１１と電線１７とを挟み込んで固定するので、サーミスタと電線１７とを密着させて固定することで、電線１７の温度を容易かつ確実に測定することができる。そして、電線１７のシース２３の温度が所定値を超えたときに、電線１７への通電を停止する制御をすることで電線１７を保護することができる。
【００６３】
また、コネクタ１によれば、サーミスタ１１と電線１７との接触部２１が平面状になるように固定するので、電線１７の温度を一層確実に測定することができる。
【００６４】
また、コネクタ１によれば、特開平１１−２３３７９号公報で示すような鋸歯状のエッジ部を用いることなく、サーミスタ１１と電線１７との接触部２１が平面状になるように、主リヤホルダ５のサーミスタ係合部１３と副リヤホルダ７の電線係合部１９とによって、サーミスタ１１と電線１７とを挟み込んで固定するので、構造を強化し大型化することなく、サーミスタ１１と電線１７と密着させて固定することができる。
【００６５】
これにより、電線１７の温度を正確に測定することができ、たとえば、過電流通電を正確に検出することができる。
【００６６】
また、コネクタ１によれば、電線係合部１９に突起２５が設けられているので、電線１７を確実に押圧することができ、電線１７とサーミスタ１１とを一層確実に主リヤホルダ５と副リヤホルダ７とに固定することができる。
【００６７】
また、コネクタ１によれば、電線係合部１９の突起２５の突出高さ（上下方向の寸法）のみを適宜変えることで、様々な外径の電線１７を固定することができる。さらには、電線係合部１９の突起２５の突出高さのみが異なる様々な種類の副リヤホルダ７を予め用意しておけば、様々な外径の電線１７をただちに固定することができる。
【００６８】
また、コネクタ１によれば、サーミスタ係合部１３にサーミスタ固定リブ２７が設けられているので、サーミスタ１１を主リヤホルダ５に確実に固定することができる。
【００６９】
また、コネクタ１によれば、サーミスタ係合部１３のサーミスタ固定リブ２７の突出高さ（横方向の寸法）のみを適宜変えることで、様々な幅寸法のサーミスタ１１を固定することができる。
【００７０】
また、サーミスタ係合部１３のサーミスタ固定リブ２７によって、サーミスタ１１を主リヤホルダ５に固定することができるようにすれば、主リヤホルダ５へのサーミスタ１１の設置後、サーミスタ１１が主リヤホルダ５と一体化するので、この後の主リヤホルダ５への電線１７の設置と副リヤホルダ７との設置が容易になる。
【００７１】
また、コネクタ１によれば、サーミスタ係合部１３が、主リヤホルダ５の本体部３３から後方に突出して設けられたものであるので、従来の主リヤホルダ５の一部を僅かに変更するだけで、本実施形態の主リヤホルダ５を得ることができ、従来の金型の流用が容易になる。
【符号の説明】
【００７２】
１  コネクタ
４  ホルダ
５  第１のホルダ
７  第２のホルダ
９  係止部
１１  サーミスタ
１３  サーミスタ収容部
１５  被係止部
１７  電線
１９  電線収容部
２５  押圧突起
２７  突出部
２９  底壁
３１  側壁
３３  本体部
３９  端子
４３  凹部
５９  コネクタハウジング
【図１】
0006023667.tif 000002
【図２】
0006023667.tif 000003
【図３】
0006023667.tif 000004
【図４】
0006023667.tif 000005
【図５】
0006023667.tif 000006
【図６】
0006023667.tif 000007
【図７】
0006023667.tif 000008
【図８】
0006023667.tif 000009
【図９】
0006023667.tif 000010